(57)【特許請求の範囲】
【請求項１】
往路用並びに復路用の各湯水通路を内部に区画形成した接続具本体の前面部に、前面開口にフィルターを設けると共に外周部に開口部を形成したフィルターキャップを被せ、接続具本体の後部に、循環経路に接続する往路用並びに復路用の各接続管を接続する接続部を有する接続部材を設け、フィルターキャップを浴槽内に臨むようにして浴槽の側部に設ける湯水循環用接続具において、接続具本体内に、往路用湯水通路と復路用湯水通路とを夫々区画形成し、往路用湯水通路並びに復路用湯水通路に連通する一方の開口部である吐出口を、接続具本体の外周部に夫々形成し、前記の各開口部に開閉板を設けると共に、往路用湯水通路並びに復路用湯水通路の他方の開口部である吸込口に、夫々開閉可能な仕切板を設け、前記開閉板は、多数の微細な穴及び／又はスリットを設けてフィルター機能を有することを特徴とする湯水循環用接続具。
【請求項２】
接続具本体の往路用湯水通路並びに復路用湯水通路に連通する各開口部の手前の各湯水通路の横断面積を、各開口部に近づくにしたがって漸次小さくなるように形成したことを特徴とする請求項１記載の湯水循環用接続具。
【請求項３】
開閉板及び／又は仕切板は、接続具本体の所定箇所に揺動可能に係止できる係止部を上端部の両側に有すると共に、上端部を内側に陥没状に形成し、陥没状に形成された上端部と本体部との間に隙間が形成されることを特徴とする請求項１又は２記載の湯水循環用接続具。
【請求項４】
開閉板及び／又は仕切板の材質が比重１未満であることを特徴とする請求項１〜３の何れか一に記載の湯水循環用接続具。
【請求項５】
開閉板及び／又は仕切板は、少なくとも片面側の下端近傍に、この下端に沿って凸部を設け、凸部の先端下面が開口部の通路面に接触することにより、開閉板及び／又は仕切板が閉じた状態になることを特徴とする請求項１〜４の何れか一に記載の湯水循環用接続具。
【請求項６】
接続具本体の開口部の近傍に、湯水吐出方向を規制する整流部を設けたことを特徴とする請求項１〜５の何れか一に記載の湯水循環用接続具。
【請求項７】
接続具本体の外周部に形成した各開口部の開口部分の大きさを、この開口部に夫々対峙する位置に形成されたフィルターキャップの外周部の開口部の開口部分より小さく形成したことを特徴とする請求項１〜６の何れか一に記載の湯水循環用接続具。
【請求項８】
往路用湯水通路に連通する吸込口と、復路用湯水通路に連通する吸込口とを、接続具本体の前面部に夫々形成すると共に、両吸込口の径を異なるように形成したことを特徴とする請求項１〜７の何れか一に記載の湯水循環用接続具。
【請求項９】
前記吸込口の内周部に、呼び水用ホースの端部を接続するための段差を形成したことを特徴とする請求項８記載の湯水循環用接続具。
【請求項１０】
接続具本体の所定の箇所に揺動可能に設けた開閉板及び／又は仕切板の枢着部の近傍の接続具本体部分に、凹部を形成し、開閉板及び／又は仕切板が開放された時に、開閉板及び／又は仕切板と凹部との間に、塵等を溜めるための隙間が形成されることを特徴とする請求項１〜９の何れか一に記載の湯水循環用接続具。
【請求項１１】
接続具本体の所定の箇所に揺動可能に設けた開閉板及び／又は仕切板の開放側面に、凸部を設け、開閉板及び／又は仕切板が開放された時に、凸部が本体キャップ部に当接して、凸部と開閉板及び／又は仕切板と本体キャップ部との間に、塵等を溜めるための隙間が形成されることを特徴とする請求項１〜１０の何れか一に記載の湯水循環用接続具。
【請求項１２】
接続具本体の所定の箇所に揺動可能に設けた開閉板及び／又は仕切板の開放側面と対向する接続具本体部分に、凸部を設けたことを特徴とする請求項１〜１１の何れか一に記載の湯水循環用接続具。
【請求項１３】
閉鎖時に開閉板が当接する接続具本体の係止面にスリットを設けたことを特徴とする請求項１〜１２の何れか一に記載の湯水循環用接続具。
【請求項１４】
接続具本体に形成したネジ挿着用の挿入部に、ネジ抜け止め用の係止突起を設けたことを特徴とする請求項１〜１３の何れか一に記載の湯水循環用接続具。
【請求項１５】
接続具本体に形成したネジ挿着用の挿入部の入口側並びに出口側に、ネジ抜け止め用の係止突起を設けたことを特徴とする請求項１〜１４の何れか一に記載の湯水循環用接続具。
【発明の詳細な説明】
【０００１】
【発明の属する技術分野】
本発明は、浴槽の側部に設け、往路用接続管並びに復路用接続管を介して強制循環式給湯機と浴槽との間で湯水を強制循環させるのに使用する湯水循環用接続具に関するものである。
【０００２】
【従来の技術】
従来から浴槽と強制循環式給湯機との間で湯水を強制循環させるために、浴槽の側部に設け、往路用接続管並びに復路用接続管を介して強制循環式給湯機と接続するようにした湯水循環用接続具にも各種のものがある。
【０００３】
また、最近では湯水循環用接続具の２つの接続部に対する往路用接続管並びに復路用接続管の接続ミスを無くしたり、各接続管の施工時における作業能率を上げるために、湯水循環用接続具の後部に設けた２つの接続部（往路用並びに復路用）の何方に往路用接続管並びに復路用接続管を接続しても、湯水の強制循環が損なわれることのないようにした湯水循環用接続具（通称、無極性タイプの湯水循環用接続具）も数多く開発され使用されている
【０００４】
これらの湯水循環用接続具は、接続具本体内を区画して片側半分に往路用湯水通路を形成すると共に、他の片側半分に復路用湯水通路を形成し、この接続具本体の前面部に、前面開口にフィルターを設けたフィルターキャップを被せ、接続具本体の後部に、強制循環式給湯機に接続する往路用並びに復路用の各接続管を接続する接続部を備えた接続部材を設けたものであった。
【０００５】
そして、強制循環式給湯機によって浴槽内の湯水を加熱しながら強制循環させた場合、浴槽内の湯水はフィルターキャップの前面開口の片側半分からフィルターを介して接続具本体内の復路用湯水通路に吸引され、接続部材、復路用接続管を介して強制循環式給湯機側に戻されている。
【０００６】
また、上記のようにして強制循環式給湯機側に戻された湯水を強制循環式給湯機で加熱して浴槽側に送られた湯水は、往路用接続管、接続部材を介して接続具本体の往路用湯水通路に流入し、接続具本体の外周の斜め下側に形成された開口部から浴槽内に吐出されている。このようにして浴槽内の湯水は、強制循環式給湯機によって加熱されながら強制循環されている。
【０００７】
【発明が解決しようとする課題】
ところで、上記のような湯水循環用接続具を使用した場合には、浴槽内の湯水が接続具本体内に強制的に吸引流入される時に、フィルターキャップの前面開口の片側半分からフィルターを介して吸引されることになる。そのため、湯水に含まれる浴槽内の塵等は、フィルターの片側半分に集中して付着してしまい、短期間毎にフィルターの掃除をしないと、塵等によるフィルターの片側半分の封鎖によって、接続具本体内の復路用通路内の負圧が増す。このことは、接続具本体内の往路用湯水通路の湯水が接続具本体とフィルターキャップ等との隙間から復路用通路側に吸引され、湯水循環用接続具による湯水の強制循環機能に支障をきたすといった問題があった。
【０００８】
また、従来から出願されている無極性タイプの湯水循環用接続具に相当する強制循環用浴槽連結装置としては、実公平３ー３４６０７号公報、特開平１０ー４７７８３号公報、特開平１０ー８２５６３号公報に開示されているものなどが挙げられる。
【０００９】
しかし、これらに開示の強制循環用浴槽連結装置では、湯水を浴槽内から強制循環用浴槽連結装置内に流入させる箇所（前面部）に設けた２つの弁（導入弁）や、湯水を強制循環用浴槽連結装置内から浴槽内に吐出する箇所（外周部）に設けた２つの弁（吐出弁）は、ゴム材によって形成されたものであり、使用している間に劣化して亀裂等が生じるといった問題点があった。
【００１０】
また、強制循環用浴槽連結装置の浴槽内に面した前面部に設けられている２つの上記の弁（導入弁）は、極めて近い位置に設けられている。そのため、強制循環式給湯機側から強制循環用浴槽連結装置内に流入した湯水は、この湯水の水圧によって開放される一方の弁（吐出弁）から浴槽内に吐出され、浴槽内に面した前面部の一方の弁（導入弁）は閉じた状態になっていて、この弁（導入弁）側から浴槽内に吐出しないようになっている。
【００１１】
しかし、強制循環式給湯機によって加熱された熱い湯水は、本来、上記した一方の弁（吐出弁）から浴槽内に吐出されるのであるが、上記の弁（導入弁）がゴム材で形成されているため、劣化して亀裂等が生じた場合、この弁（導入弁）から浴槽内に吐出してしまい、この弁（導入弁）の傍に設けられているもう一方の開放されている弁（導入弁）から直ぐに強制循環用浴槽連結装置内に戻される、いわゆにショートサイクルを生じる。
【００１２】
そのため、強制循環式給湯機によって加熱された熱い湯水は、強制循環用浴槽連結装置と強制循環式給湯機との間で循環される。
【００１３】
通常、強制循環式給湯機側には、循環する湯水の湯温を検出するためのサーミスターが設けられており、このサーミスターによって湯温を検出している。上記のようにショートサイクルによって循環している湯温は、浴槽内の湯温よりも熱くなっており、この湯温をサーミスターで検出した場合、この湯温がサーミスターに接続されている制御装置によって、設定されている湯温に達していると判断されてしまい、湯水循環ポンプを自動停止させてしまう。そのため、浴槽内の湯温が設定温度に達していないのに最適温度（設定温度）、すなわち、風呂が沸いていないのに沸いていると判断されてしまうといった問題点を有している。
【００１４】
更に、浴室内の湯水を一方の弁（吐出弁）から強制循環用浴槽連結装置内に吸引される場合、このゴム材で形成された弁（吐出弁）が劣化して亀裂等を生じたた場合、この亀裂部分から浴槽内のごみ（フィルターを通って入るごみより大なるごみ）が強制循環用浴槽連結装置内を介して、強制循環式給湯機の中の循環ホンプや、湯水が循環していることを検出する水流スイッチや循環ポンプや、その他の機能部品に付着し、これら（循環ポンプ等）が正常に機能しなくなるといった問題点を有している。
【００１５】
また、従来の湯水循環用接続具においては、図３０、図３１に示すように接続具本体１０１を本体キャップ部１０２とネジ１０３とを介して接続受具１０４に接続するために、本体キャップ部１０２にネジ１０３の挿入部１０５を形成するとともに、接続具本体１０１に挿入部１０５と係合する孔１０６を形成してあった。そして接続具本体１０１と接続受具１０４とを接続する場合は、接続受具１０４に形成したネジ孔１０７と、接続具本体１０１の所定位置に係合させた本体キャップ部１０２の挿入部１０５とを一致させ、ネジ１０３を挿入部１０５から接続受具１０４のネジ孔１０７にねじ込んで接続している。
【００１６】
ところが、湯水循環用接続具の浴槽側面への取付けや、内部掃除等の時にネジ１０３を外して接続具本体１０１及び本体キャップ部１０２と接続受具１０４とを分離した場合、従来の挿入部１０５は円筒状をした構造であったために、はずしたネジ１０３が作業中に挿入部１０５からこぼれ落ちて、浴槽内側に配されている本体キャップ部１０２から浴槽の排水口の中に落ち込んでしまうといった問題があった。
【００１７】
また、前記の挿入部１０５は、本体キャップ部１０２の円周方向に等間隔を以て複数形成されており、かつこれらの挿入部１０５と一致するネジ孔１０７が接続受具１０４に形成されている。そして前記のように接続具本体１０１と接続受具１０４とを、キャップ本体１０２及びネジ１０３を介して接続する場合に、接続受具１０４の各ネジ孔１０７を、接続具本体１０１の孔１０６から突出しているキャップ本体１０２の各挿入部１０５と一致させようとした時に、各挿入部１０５が円筒状であると、挿入部１０５に挿入したネジ１０３の先端部が接続受具１０側に突出してしまう。そのため、この突出したネジ１０３が邪魔になって各挿入部１０５と、接続受具１０の各ネジ孔１０７との位置合わせに手間取るといった問題があった。
【００１８】
本発明は、上記のような点に鑑みて開発されたものであり、その目的とするところは、フィルターキャップのフィルターの掃除を従来より長い期間毎に掃除をしても強制循環機能に支障を来すことのないようにし、また、可動部の耐久性を向上させショートサイクルを起こしにくくし、更に接続具本体と接続受具とを接続するネジを外した場合、接続具本体からネジがこぼれ落ちることのないようにし、また、ネジが接続具本体側から自然に接続受具側に突出することのないようにした湯水循環用接続具を提供することにある。
【００１９】
【課題を解決するための手段】
本発明は前記目的を有効に達成するために、次のような構成にしてある。すなわち、請求項１記載の本発明の湯水循環用接続具は、往路用並びに復路用の各湯水通路を内部に区画形成した接続具本体の前面部に、前面開口にフィルターを設けると共に外周部に開口部を形成したフィルターキャップを被せ、接続具本体の後部に、循環経路に接続する往路用並びに復路用の各接続管を接続する接続部を有する接続部材を設け、フィルターキャップを浴槽内に臨むようにして浴槽の側部に設ける湯水循環用接続具において、
接続具本体内に、往路用湯水通路と復路用湯水通路とを夫々区画形成し、往路用湯水通路並びに復路用湯水通路に連通する一方の開口部である吐出口を、接続具本体の外周部に夫々形成し、上記の各開口部に開閉板を設けると共に、往路用湯水通路並びに復路用湯水通路の他方の開口部である吸込口に、夫々開閉可能な仕切板を設けた構成にしてある。
【００２０】
請求項２記載の本発明の湯水循環用接続具は、請求項１記載の湯水循環用接続具において、接続具本体の往路用湯水通路並びに復路用湯水通路に連通する各開口部の手前の各湯水通路の横断面積を、各開口部に近づくにしたがって漸次小さくなるように形成したことを特徴とする構成にしてある。
【００２１】
請求項３記載の本発明の湯水循環用接続具は、請求項１又は２記載の湯水循環用接続具において、開閉板及び／又は仕切板は、接続具本体の所定箇所に揺動可能に係止できる係止部を上端部の両側に有すると共に、上端部を内側に陥没状に形成した構成であることを特徴とする構成にしてある。
【００２２】
請求項４記載の本発明の湯水循環用接続具は、請求項１、２又は３記載の湯水循環用接続具において、開閉板及び／又は仕切板の材質が比重１未満であることを特徴とする構成にしてある。
【００２３】
請求項５記載の本発明の湯水循環用接続具は、請求項１、２、３又は４記載の湯水循環用接続具において、開閉板及び／又は仕切板は、少なくとも片面側の下端近傍に、この下端に沿って凸部を設けたことを特徴とする構成にしてある。
【００２４】
請求項６記載の本発明の湯水循環用接続具は、請求項１〜５の何れか一に記載の湯水循環用接続具において、開閉板は、多数の微細な穴及び又はスリットを設けてフィルター機能を有するようにしたことを特徴とする構成にしてある。
【００２５】
請求項７記載の本発明の湯水循環用接続具は、請求項１〜７の何れか一に記載の湯水循環用接続具において、接続具本体の開口部の近傍に、湯水吐出方向を規制する整流部を設けたことを特徴とする構成にしてある。
【００２６】
請求項８記載の本発明の湯水循環用接続具は、請求項１〜７の何れか一に記載の湯水循環用接続具において、接続具本体の外周部に形成した各開口部の開口部分の大きさを、この開口部に夫々対峙する位置に形成されたフィルターキャップの外周部の開口部の開口部分より小さく形成したことを特徴とする構成にしてある。
【００２７】
請求項９記載の本発明の湯水循環用接続具は、請求項１〜８の何れか一に記載の湯水循環用接続具において、往路用湯水通路に連通する吸込口と、復路用湯水通路に連通する吸込口とを、接続具本体の前面部に夫々形成すると共に、両吸込口の径を異なるように形成したことを特徴とする構成にしてある。
【００２８】
請求項１０記載の本発明の湯水循環用接続具は、請求項９に記載の湯水循環用接続具において、前記吸込口の内周部に段差を形成したことを特徴とする構成にしてある。
【００２９】
請求項１１記載の本発明の湯水循環用接続具は、請求項１〜１０の何れか一に記載の湯水循環用接続具において、接続具本体の所定の箇所に揺動可能に設けた開閉板及び／又は仕切板の枢着部の近傍の接続具本体部分に、凹部を形成したことを特徴とする構成にしてある。
【００３０】
請求項１２記載の本発明の湯水循環用接続具は、請求項１〜１１の何れか一に記載の湯水循環用接続具において、接続具本体の所定の箇所に揺動可能に設けた開閉板及び／又は仕切板の開放側面に、凸部を設けたことを特徴とする構成にしてある。
【００３１】
請求項１３記載の本発明の湯水循環用接続具は、請求項１〜１２の何れか一に記載の湯水循環用接続具において、接続具本体の所定の箇所に揺動可能に設けた開閉板及び／又は仕切板の開放側面と対向する接続具本体部分に、凸部を設けたことを特徴とする構成にしてある。
【００３２】
請求項１４記載の本発明の湯水循環用接続具は、請求項１〜１３の何れか一に記載の湯水循環用接続具において、閉鎖時に開閉板が当接する接続具本体の係止面にスリットを設けたことを特徴とする構成にしてある。
【００３３】
請求項１５記載の本発明の湯水循環用接続具は、請求項１〜１４の何れか一に記載の湯水循環用接続具において、接続具本体に形成したネジ挿着用の挿入部に、ネジ抜け止め用の係止突起を形成したことを特徴とする構成にしてある。
【００３４】
請求項１６記載の本発明の湯水循環用接続具は、請求項１〜１５の何れか一に記載の湯水循環用接続具において、接続具本体に形成したネジ挿着用の挿入部の入口側並びに出口側に、ネジ抜け止め用の係止突起を設けたことを特徴とする構成にしてある。
【００３５】
【発明の実施の形態】
本発明の実施の形態を添付の図１〜図３０に基づいて説明する。
本発明に係る図示の湯水循環用接続具１（図１参照）は、フィルター２を備えたフィルターキャップ３と、後述する往路用湯水通路等を形成した接続具本体４と、強制循環式給湯機（図示せず）に接続する往路用並びに復路用の各接続管（図示せず）を接続する接続部５、６を有する接続部材７によって構成されている。
【００３６】
先ず上記のフィルターキャップ３は、前面の中心から放射状に略三角形状の複数の前面開口８を形成してあり、外周の下部側の２か所に所定間隔を以て開口部９ａ、９ｂを形成し、接続具本体４の前面側に冠着できるように形成してある。また、上記の前面開口８を被うように円形状のフィルター２がフィルターキャップ３の内側に設けてある。
【００３７】
接続具本体４（図１参照）は、本体キャップ部１０と、本体部１１と、接続受具１２及び環状のパッキン１３によって構成されている。
【００３８】
本体キャップ部１０（図１〜図３参照）は、フィルターキャップ３の内周に係合できる円形状であって、区画し且つ中央の左右に隣接するようにして小円弧状の第１溝孔１４と第２溝孔１５とが前後方向に貫通形成されている。この第１溝孔１４と第２溝孔１５は、接続具本体４側にフィルターキャップ３を冠着した場合に、フィルターキャップ３の前面開口８とフィルター２を介して対峙する。また、本体キャップ部１０の裏面側には、図３に示すように後述する本体部１１の３か所に形成した挿入凹部１８に挿着できる突起部１９が、夫々１２０°間隔毎に形成してある。
【００３９】
本体部１１（図１、図２、図４〜図９参照）は、上記の本体キャップ部１０を前面側に着脱可能に冠着できる  湯水通路形成部１６と、湯水通路形成部１６の後部中央に形成した筒部１７とからなる。
【００４０】
湯水通路形成部１６には、中央の仕切り部２０を介して片側に、往路用湯水通路２１並びにこの往路用湯水通路２１に連通する往路用副湯水通路２２が区画形成されている。往路用副湯水通路２２は、湯水通路形成部１６に本体キャップ部１０を嵌着した場合に第１溝孔１４と連通するように形成してある。また往路用湯水通路２１は、湯水通路形成部１６の斜め下方の外周部に形成した開口部２３に連通するように形成されている。
【００４１】
また、開口部２３の近傍には、開口部２３を開閉できるように開閉板２４が開閉可能に設けられている。この開閉板２４は、外方に開放でき且つ往路用湯水通路２１側に閉じるように作動する。
【００４２】
更に往路用湯水通路２１と往路用副湯水通路２２の交わる連通部２５には、往路用湯水通路２１と往路用副湯水通路２２との連通を遮ったり、或いは連通できるようにする仕切板２６が開閉可能に設けられている。この仕切板２６は、上記の開口部２３方向には開放でき、往路用副湯水通路２２側には閉じるように作動する。
【００４３】
また、往路用湯水通路２１の湯水通路形成部１６の中央部側には、上記した筒部１７と連通するように孔部１７ａが形成されている。
【００４４】
更に往路用湯水通路２１は、開口部２３（開閉板２４を設けた位置）に近づくに従って横断面積を漸次小さくなるように傾斜部２７（図４参照）を設けてある。
【００４５】
一方、湯水通路形成部１６の中央の仕切り部２０を介してもう片側には、復路用湯水通路２８並びにこの復路用湯水通路２８に連通する復路用副湯水通路２９が区画形成されている。復路用副湯水通路２８は、湯水通路形成部１６に本体キャップ部１０を嵌着した場合に第２溝孔１５と連通するように形成してある。また復路用湯水通路２８は、湯水通路形成部１６の斜め下方の外周部に形成した開口部３０に連通するように形成されている。
【００４６】
また、開口部３０の近傍には、開口部３０を開閉できるように開閉板３１が開閉可能に設けられている。この開閉板３１は、外方に開放でき且つ復路用湯水通路２８側に閉じるように作動する。
【００４７】
更に復路用湯水通路２８と復路用副湯水通路２９の交わる連通部３２には、復路用湯水通路２８と復路用副湯水通路２９との連通を遮ったり、或いは連通できるようにする仕切板３３が開閉可能に設けられている。この仕切板３３は、上記の開口部３０の方向に開放でき、復路用副湯水通路２８側に閉じるように作動する。
【００４８】
また、復路用湯水通路２８の湯水通路形成部１６の中央部側には、後部側に貫通孔３４が形成されている。
【００４９】
更に復路用湯水通路２８は、開口部３０（開閉板３１を設けた位置）に近づくに従って横断面積を漸次小さくなるようにした傾斜部３５（図４参照）を設けてある。
【００５０】
尚、図示の例では、図中符号２１を往路用湯水通路、２２を往路用副湯水通路、２８を復路用湯水通路、２９を復路用副湯水通路として説明しているが、図中符号２８を往路用湯水通路とし、２９を往路用副湯水通路とし、２１を復路用湯水通路とし、２２を復路用副湯水通路としてもよい。接続部材７に対する往路用接続管（図示せず）並びに復路用接続管（図示せず）の接続のしかたによって、図中の符号のような通路構成となったり、上記した２８が往路用湯水通路となるような通路構成となる。
【００５１】
接続受具１２（図１参照）は、筒部３６の一端にフランジ状の受け部３７とを形成したものであり、筒部３６の外周面には雄ネジ３８が形成されている。また、受け部３７には一体間隔毎に複数の突起部３９が形成され、各突起部３９には、ネジ孔４０が形成されている。ネジ（図示せず）を介して受け部３７の所定の突起部３９は、上記した湯水通路形成部１６と結合できるようにしてある。
【００５２】
パッキン１３（図１参照）は、ゴムや合成樹脂材等によって環状に形成されたものである。
【００５３】
接続部材７（図１参照）は、有底の筒状であって中央に筒部４１を設けてある。筒部４１の外筒部にはスパナ掛け４２ａが外周上に９０°毎に４か所に設けてある。筒部４１は、筒部４１と一体的に形成された接続部５に連通している。筒部４１と外筒部４２との空間通路４３は、筒部４１と一体的に形成された接続部６に連通している。更に外筒部４２の開口端近傍の内周面には、雌ネジ４４が形成され、接続受具１２の雄ネジ３８と螺合できるようにしてある。
【００５４】
上記のような構成からなる湯水循環用接続具１にあっては、上記した湯水通路形成部１６を接続受具１２に連結すると共に、本体キャップ１０を湯水通路形成部１６の前面に嵌着し、更にフィルターキャップ３を本体キャップ１０の前面に嵌着する。この場合、フィルターキャップ３の開口部９ａは、湯水通路形成部１６の開口部３０と一致し、フィルターキャップ３の外周部に形成したもう一方の開口部９ｂは、湯水通路形成部１６の開口部２３と一致する。
【００５５】
このようにして組み合わせたフィルターキャップ３と接続具本体４とを、浴槽内に配し、フィルターキャップ３を浴槽内に臨ませて浴槽の側部（図示せず）に形成した孔に、パッキン１３を介して接続受具１２の筒部３６を挿入する。そして、この接続受具１２の筒部３６の雄ネジ３８に浴槽の外側から接続部材７の雌ネジ４４をねじ込んで、フィルターキャップ３並びに接続具本体４と、接続部材７とを浴槽の側部に取り付ける。この場合、接続具本体４の開口部３０、２３並びにフィルターキャップ３の両開口部９ａ、９ｂは、浴槽の底部側に臨んでいる。また、接続部材７の筒部４１内には、本体部１１の筒部１７が挿入され連結されている。
【００５６】
このようにして浴槽の側部（図示せず）に取り付けた湯水循環用接続具１の接続部５に、図示の例の場合は往路用接続管（図示せず）を接続し、接続部６に復路用接続管（図示せず）を接続するが、逆の接続であってもよい。この両接続管は強制循環式給湯機（図示せず）に接続される。
【００５７】
このようにして取り付けた湯水循環用接続具１、各接続管、強制循環式給湯機により、浴槽に水を張って強制循環式給湯機を作動させる。
【００５８】
この場合、接続部５から筒部４１を介して接続具本体４の筒部１７に流入した湯水は、湯水通路形成部１６の往路用湯水通路２１に入り、この往路用湯水通路２１を介して開口部２３から開閉板２４を水圧で開けて浴槽内の底部側に吐出される。この時、浴槽内の湯水は、この吐出流の吸引力によりフィルターキャップ３の前面開口８からフィルター２を介して本体キャップ１０の第１溝孔１４に流入し、この第１溝孔１４から往路用副湯水通路２２内に吸引流入される。この往路用副湯水通路２２内に入った湯水は、仕切板２６を開放して往路用湯水通路２１の湯水と合流し、開口部２３から浴槽内に吐出される。
【００５９】
また、開口部２３（開閉板２４を設けた位置）に近づくに従って横断面積を漸次小さくなるように傾斜部２７が設けられているため（図９参照）、往路用湯水通路２１側の開口部２３から吐出する水流の勢いは強くなり、往路用副湯水通路２２側の湯水をより強く吸引することになる。
【００６０】
一方、この状態の時に、フィルターキャップ３の前面開口８からフィルター２を介して本体キャップ１０の第２溝孔１５、更にこの第２溝孔１５から復路用副湯水通路２９内に吸引流入された湯水は、水流によって仕切板３３を開放して復路用湯水通路２８に流入し、この復路用湯水通路２８から貫通孔３４（図５参照）、接続受具１２の筒部３６と本体部１１の筒部１７との間から接続部材７の空間通路４３を介して、接続部６から復路用接続管（図示せず）、強制循環式給湯機（図示せず）へと戻される。この時、開閉弁３１は、吸引力により閉じた状態となっている。
【００６１】
このように本発明の湯水循環用接続具１では、常にフィルターキャップ３の前面開口８の全体を使用して浴槽内の湯水が接続具本体４内に吸引されることになり、浴槽内の湯水の循環もより効率的に行われることになる。
【００６２】
上記した各仕切板２６、３３が、通路を閉じられるようにしてあるのは、フィルター２に塵等が付着して浴槽内の湯水の往路用副湯水通路２２側への流入が困難になった場合、復路用湯水通路２８の湯水吸引力により、往路用湯水通路２１内の湯水が本体キャップ１０とフィルター２との隙間から復路用湯水通路２８側に吸引されるのを防止するためである。
【００６３】
また、接続部材７の接続部５に復路用接続管（図示せず）を接続し、接続部６に往路用接続管（図示せず）を接続した場合は、上記で説明した湯水の流れとは逆になり、湯水は接続具本体４の開口部３０から浴槽内に吐出され、浴槽内の湯水はフィルターキャップ３の前面開口８からフィルター２を介して往路用副湯水通路２２、往路用湯水通路２１、強制循環式給湯機（図示せず）へと戻される。この場合、各仕切板２６、３３、並びに開閉板３１は開放状態となり、また開閉板２４は閉じた状態となる。
【００６４】
次に本発明に係る湯水循環用接続具に使用される開閉板２４、３１及び／又は仕切板２６、３３は、以下のような構成にするのが好ましい。尚、開閉板２４、３１と仕切板２６、３３とは、大きさは異なるが要部の形状は同一であるため、便宜上、開閉板２４、３１を示す図１０を使用して説明する。
【００６５】
各開閉板２４、３１（及び／又は仕切板２６、３３）は、接続具本体４の各開口部２３、３０、並びに連通部２５、３２（図１参照）の所定箇所に揺動可能に係止できるように、上端部の両側に突出する係止部２４ａ（３１ａ，２６ａ，３３ａ）を形成し、上端部２４ｂ（３１ｂ，２６ｂ，３３ｂ）を内側に陥没状に形成してある。この陥没状とは、図示のように逆台形状に形成するも、或いは逆円弧状に形成するも、凹状、その他の種々の形状に形成するも自由である。
【００６６】
もし、図１０の仮想線で示すように上端部２４ｃ（３１ｃ，２６ｃ，３３ｃ）が水平状に形成されていたならば、開閉板２４、３１（及び／又は仕切板２６、３３）が両側の係止部２４ａ（３１ａ，２６ａ，３３ａ）を支点に開閉動作する時に、仮想線で示す上端部２４ｃ（３１ｃ，２６ｃ，３３ｃ）と、この上端部の隣接する本体部１１との間に塵等６０が付着していると、塵等６０が開閉動作（開閉板２４等の回転方向への動き）の邪魔になって、開閉板２４、３１（及び／又は仕切板２６、３３）を開放できなくなったり開放しずらくなって、所望の開度を得られなくなる事が考えられる。
【００６７】
しかし、上記したように開閉板２４、３１（及び／又は仕切板２６、３３）の上端部２４ｂ（３１ｂ，２６ｂ，３３ｂ）を陥没形成することによって、塵等６０が上端部２４ｂ（３１ｂ，２６ｂ，３３ｂ）と本体部１１との間に挟み込まれても、開閉動作を阻害するといったこともなく、長期間にわたって開閉板２４、３１（及び／又は仕切板２６、３３）の開閉動作をスムーズに行うことができる。
【００６８】
また、開閉板２４、３１及び／又は仕切板２６、３３は、比重１未満の合成樹脂材又は金属材等からなる材質の材料によって形成するのが好ましい。通常、各開閉板２４、３１及び／又は仕切板２６、３３は、強制循環式給湯機（図示せず）の循環ポンプ（図示せず）の吸引作用によって、通路を閉じるように本体部１１の所定箇所側に吸い付けられるが、例えば重い自重の開閉板２４、３１及び／又は仕切板２６、３３であったならば、上記した循環ポンプ（図示せず）の吸引力と開閉板２４、３１及び／又は仕切板２６、３３の自重とのバランスによって、ある所定値以上の吸引力がないと上記した本体部１１の所定箇所側に吸い付かないことがある。
【００６９】
しかし、上記したように開閉板２４、３１及び／又は仕切板２６、３３は、比重を１未満の材質によって形成することにより、浴槽に湯水を満たした状態のときに浮いた状態となって自然に本体部１１の所定箇所側に当たり、各通路を確実に閉じることができる。尚、開閉板２４、３１及び／又は仕切板２６、３３は合成樹脂によって形成した比重１のものであっても又は中空で形成されたものであっても、比重１未満の材質の開閉板２４、３１及び／又は仕切板２６、３３と同様の作用をなすことができる。
【００７０】
また、本発明に係る湯水循環用接続具において、図１１に示すように開閉板２４、３１及び／又は仕切板２６、３３には、両面側（又は片面側）の下端近傍で、下端４８に沿って横長な凸部４７を設けるのが好ましい。図１２に示すように開口部２３、３０（及び／又は連通部２５、３２）の下端４８近傍の側面と、本体部１１の開閉板２４、３１（及び／又は仕切板２６、３３）の当接する箇所との間に塵等６０が付着した場合、開閉板２４、３１（及び／又は仕切板２６、３３）が開口部２３、３０（及び／又は連通部２５、３２）を閉じた状態になっても、本体部１１と開閉板２４、３１（及び／又は仕切板２６、３３）との間に隙間が生じて湯水の流れを完全に遮断することができなくなる。
【００７１】
しかし、上記したように開閉板２４、３１（及び／又は仕切板２６、３３）に横長な凸部４７を設けることによって、開閉板２４、３１（及び／又は仕切板２６、３３）が傾いた状態で完全に開閉板２４、３１等を閉じなくても、凸部４７の先端下面６２が通路面６１に当接するため、多少の塵等６０が付着しても開口部２３、３０（及び／又は連通部２５、３２）を確実に閉じることができる。したがって、湯水循環用接続具による湯水循環の動作に支障を来すといったことがない。
【００７２】
尚、開閉板２４等の両面側に凸部４７を設けたのは、開閉板２４等を本体部１１に取り付けるときに取付け向きを逆にしても、上記と同様の作用・効果を得ることができるようにしたためである。
【００７３】
また、本発明に係る湯水循環用接続具において、図１３、図１４に示すように開閉板２４、３１には多数の微細な穴４９ａやスリット４９ｂを設けて、フィルター機能をもたせるようにしてもよい。開閉板２４、３１にフィルター機能をもたせることによって、フィルターキャップ３のフィルター２が塵等によって目詰まりを生じて閉塞されても、開閉板２４、３１の微細な穴４９ａやスリット４９ｂは、湯はり時にセルフクリーニングされて閉塞されにくくなり、支障なく湯水の追炊循環を継続することができる。また、浴槽から湯水を抜いた後も湯水循環用接続具内に湯水が残留し、この湯水が冬などに凍結してしまうといった懸念もあったが、開閉板２４、３１に微細な穴４９ａやスリット４９ｂを設けることにり、湯水循環用接続具内の湯水は穴４９ａ等から浴槽内に排出されるため、湯水が湯水循環用接続具内に残留して凍結してしまうといったことを防止することができる。
【００７４】
尚、開閉板２４、３１の両面側にスリット４９ｂを設けたのは、開閉板２４、３１を本体部１１に取り付けるときに取り付け向きを逆にしても、上記と同様の作用・効果を得ることができるようにしたためである。
【００７５】
また、本発明に係る湯水循環用接続具において、浴槽内に湯水循環用接続具から吐出される湯水の吐出方向を規制するために、接続具本体４（図１参照）の本体部１１及び／又は本体キャップ部１０の開口部２３及び／又は３０の近傍（開閉板２４、３１の外側及び／又は内側）に、整流部２３ａ、３０ａ（図４参照）を設けるのが好ましい。整流部（図示せず）は、細長板状又は角材状（リブ状）に形成したものであって、開口部２３及び／又は３０から吐出される流速を均一にし、且つ吐出される湯水を浴槽内の上方向に強制的に導けるようにしてあるため、浴槽内における湯水の攪拌を向上させることができる。
【００７６】
また、本発明に係る湯水循環用接続具においては、接続具本体４（図１参照）の本体部１１の外周部に形成した各開口部２３、３０の開口部分の大きさを、夫々の開口部２３、３０に夫々対峙する位置に形成されたフィルターキャップ３の外周部の開口部９ｂ、９ａの開口部分より小さく形成するのが好ましい。このようにすることによって、金属部材で形成されているフィルターキャップ３の各開口部９ｂ、９ａの内周縁が、本体部１１の各開口部２３、３０の内側に露出するのを防止でき、掃除等の時に各開口部９ｂ、９ａの内周縁で指を怪我するといったことを防止できる。
【００７７】
また、本発明に係る湯水循環用接続具においては、接続具本体４の本体部１１の往路用副湯水通路２２（図１参照）に連通する吸込口５０と、復路用副湯水通路２９に連通する吸込口５１とを、接続具本体４の前面部に相当する本体キャップ部１０に夫々形成すると共に、両吸込口５０、５１の径を異なるように形成するのが好ましい。
【００７８】
更に図１５、図１６に示すように、吸込口５０、５１の内周部５２に段差を２段形成するのが好ましい。このようにすることによって、循環経路や循環ポンプへ呼び水をする時にホース５３（図１５参照）を吸込口５０（又は５１）に接続でき、また上記のホース５３より径の小さいシャワーホース５４（図１６参照）を吸込口５０（又は５１）に接続することができる。
【００７９】
上記のように吸込口５０、５１の径を異なるようにしたり、段差を設けることによって、既製のホース５３やシャワーホース５４などの径の異なるものを簡単に吸込口５０、５１に接続して呼び水を容易に行うことができる。
【００８０】
また、本発明に係る湯水循環用接続具において、接続具本体４（図１参照）の本体部１１（図１７ａ、図１８参照）の各開口部２３、３０及び／又は連通部２５、３２（図１参照）の所定箇所に揺動可能に係止した開閉板２４、３１及び／又は仕切板２６、３３の枢着部５５の近傍に、凹部５６を本体キャップ部１０に形成するのが好ましい。図１９に示すように塵等６０が上記した枢着部５５の近傍に付着した場合、開閉板２４等の開放時に塵等６０が本体キャップ部１０と開閉板２４等との間に挟まれて、開閉板２４等の開度を規制して所定の開度に開かなくなる。
【００８１】
しかしながら、上記したように凹部５６を形成することによって、枢着部５５の近傍に溜まる塵等６０は、凹部５５の中に入り込んでしまうため塵等６０に邪魔されることなく開閉板２４等を所定の開度に開くことができる。また、図１７ｂのように開閉板２４、３１及び／又は仕切板２６、３３に凸部を設けても同じような効果を得ることができる。
【００８２】
また、本発明係る湯水循環用接続具においては、開閉板２４、３１（及び／又は仕切板２６、３３）の開放側面５７（図１８参照）に凸部５８を設けるようにしてもよい。このようにすることにより、開閉板２４、３１（及び／又は仕切板２６、３３）を図１８のように開放させた時に、開閉板２４、３１（及び／又は仕切板２６、３３）が本体キャップ部１０側に面接触し、湯水の表面張力によって本体キャップ部１０に固着してしまうといったことを防止することができる。
【００８３】
また、本発明係る湯水循環用接続具においては、開閉板２４、３１及び／又は仕切板２６、３３の開放側面５７（図１７参照）と対向する本体キャップ部１０に凸部５９を設けた場合も、上記と同様の作用・効果を奏することができる。
【００８４】
尚、図２０〜図２５は、本発明に係る接続具本体４を構成する本体キャップ部１０並びに本体部１１を示す他の例に関する図であり、基本的な構造は前記した湯水循環用接続具１（図１参照）と同一であり、同一箇所に同一符号を付して説明を省略する。
【００８５】
次に図２６、図２７は、本体キャップ部１０と、本体部１１と、接続受具１２とをネジ４４によって接続する構造を示す。この図に示す接続具本体４の本体部１１には、本体キャップ部１０の裏面から突出した挿入部４５を挿入するための孔７０が円周方向に等間隔に形成されている。この各孔７０に挿入できるように本体キャップ部１０の裏面に挿入部４５が夫々形成されている。挿入部４５は、ネジ４４を挿通できるように円筒状に貫通形成されていて、以下の係止突起４６ａを有している。
【００８６】
すなわち、この挿入部４５の入口側には、ネジ抜け止め用の係止突起４６ａが内周面の対峙する２か所に形成されていて、ネジ山部６４を挿入部４５に挿入するときにネジ山部６４によって係止突起４６ａの内周先端部をネジ切りしながら、ネジ山部６４を挿入部４５に挿入できるようにしてある。このように係止突起４６ａを形成することにより、挿入部４５に挿入されたネジ山部６４は、係止突起４６ａに邪魔される。したがって、ネジ４４は挿入部４５から外れ落ちなくなる。尚、係止突起４６ａは、挿入部４５の入口側の内周部分の１か所或いは３か所以上に形成してもよく、また環状に形成してもよい。
【００８７】
図２９は、本体キャップ部１０と、本体部１１と、接続受具１２とをネジ４４で接続する別の構造を示す図である。この例では本体キャップ部１０の挿入部４５の入口側と出口側に、ネジ抜け止め用の係止突起４６ａ、４６ｂを夫々形成してある。この例の挿入部４５の構造において、入口側の係止突起４６ａ間の間隔Ｘは、ネジ４４のネジ山部６４の外径Ｄより少し小さい間隔（径）を成して形成されている。ネジ４４のネジ山部６４を挿入部４５に挿入するときは、前記と同様にネジ山部６４によって係止突起４６ａの先端部をネジ切りしながら挿入部４５にネジ山部６４を挿入する。勿論、係止突起４６ａ間の間隔Ｘは、挿入部４５に挿入されたネジ山部６４が外に出るのを阻止できれば、如何なる間隔としてもよい
【００８８】
挿入部４５にねじ込まれたネジ山部６４は、出口側の係止突起４６ｂによって接続受具１２側に出るのを阻止され、通常は挿入部４５内に滞留する。すなわち、挿入部４５内で不安定な状態にあるネジ４４の軸芯と、係止突起４６ｂの開口している径の中心とが一致する、といったことが殆どないため、通常はネジ山部６４の先端が係止突起４６ｂに当たって接続受具１２側に突出するのを阻止される。また、係止突起４６ｂ間の間隔ｄは、挿入部４５に挿入されたネジ山部６４が接続受具１２側に出るのを阻止できれば、如何なる寸法にするも自由である。なお、係止突起４６ｂの構成は、前記した係止突起４６ａとほぼ同様の構成であり詳細な説明を省略する。
【００８９】
【発明の効果】
このように本発明の湯水循環用接続具によれば、強制循環式給湯機の作動によって往路用湯水通路の開口部から浴槽内に吐出されると共に、フィルターキャップの前面開口から復路用副湯水通路を介して復路用湯水通路内に湯水を吸引流入する場合にも、浴槽内の湯水はフィルターキャップの前面開口から往路用副湯水通路内にも吸引流入され、この吸引流入された湯水は往路用湯水通路を介して開口部から吐出される。
【００９０】
このことは、従来の湯水循環用接続具ではフィルターキャップの前面開口に設けたフィルターの片側面しか使用しないために、この片側面に塵等が集中して付着して目詰まりを起こす為に、短期間にフィルターの掃除をしなければならなかったが、本発明では常にフィルター全面を使って湯水が接続具本体内に吸引流入されるため、フィルターに付着する浴槽内の塵等がフィルター全面に分散して付着するため、従来の片側面に付着する場合に比べ目詰まりする期間も長くなり、フィルター掃除の間隔を長くすることができ、例えば１年内に於けるフィルターキャップの掃除の回数を少なくでき、従来に比べフィルターキャップの掃除が楽になる。また、開閉板２４、３１及び／又は仕切板２６、３３を板状とし揺動可能としたため、ゴム材を使用する場合に比べ、使用している間に劣化し亀裂等が生じることがなく、機能を経年的に発揮し続けることができる。
【００９１】
また、接続具本体の往路用湯水通路並びに復路用湯水通路に連通する各開口部の手前の各湯水通路の横断面積を、各開口部に近づくにしたがって漸次小さくなるように形成してあるので、往路用湯水通路から開口部を介して吐出される湯水の勢いが強くなり、この勢いにより浴槽内から往路用副湯水通路内に吸引されて往路用湯水通路の湯水に合流する勢いもより強くなり、浴槽内の湯水を効果的に攪拌させることができる。
【００９２】
また、開閉板及び／又は仕切板の上端部を内側に陥没状に形成したことによって、塵等が上端部と接続具本体の所定箇所との間に咬み込むこともなく、長期間にわたって開閉板及び／又は仕切板の開閉動作をスムーズに行うことができ、湯水の所定の流動動作に支障をきたすことがない。
【００９３】
また、開閉板及び／又は仕切板の材質を比重１未満とすることにより、湯水を浴槽に満たした状態のときに、開閉板及び／又は仕切板は浮いた状態となって、接続具本体の所定箇所側に当たり、通路を確実に閉じる状態にすることができる。故に湯水の所定の流動動作に支障をきたすことがない。
【００９４】
また、開閉板及び／又は仕切板の少なくとも片面側の下端近傍に、下端に沿って凸部を設けたことにより、開閉板及び／又は仕切板等が塵等が開閉板及び／又は仕切板と接続具本体の所定箇所との間に付着して完全に閉じなくなっても、凸部が接続具本体の通路面に当接するため、接続具本体の開口部及び／又は連通部を確実に閉じることができる。したがって、湯水循環用接続具による湯水循環の動作に支障を来すといったことがない。
【００９５】
また、開閉板に多数の微細な穴及び又はスリットを設けてフィルター機能を持たせたことによって、フィルターキャップが塵等によって閉塞されても、上記の開閉板は湯はり時にセルフクリーニングができるので、閉塞されにくく、湯水の追炊循環を継続させることができ、湯水循環用接続具による湯水循環の動作に支障を来すといったことがない。
【００９６】
また、接続具本体の開口部の近傍に、湯水吐出方向を規制する整流部を設けたことによって、開口部から吐出される流速を均一にし、吐出される湯水を浴槽内の上方向に強制的に導けるようにしてあるため、浴槽内における湯水の攪拌を向上させることができる。
【００９７】
また、接続具本体の外周部に形成した各開口部の開口部分の大きさを、この開口部に夫々対峙する位置に形成されたフィルターキャップの外周部の開口部の開口部分より小さく形成したことによって、フィルターキャップの開口部の内周縁が清掃等の取扱い時に指にあたることもなく、清掃等の作業を安全に行うことができる。
【００９８】
また、往路用副湯水通路に連通する吸込口と、復路用副湯水通路に連通する吸込口とを、接続具本体の前面部に夫々形成すると共に、両吸込口の径を異なるように形成したことによって、呼び水の時に既製のホース又は、このホースと径の異なるシャワーホースを吸込口に接続させて、呼び水を容易に行うことができる。
【００９９】
また、吸込口の内周部に段差を形成したことによって、径の異なる既製のホースやシャワーホースを確実に所望の吸込口に接続できて、呼び水作業を迅速に行うことができる。
【０１００】
また、接続具本体の所定の箇所に揺動可能に設けた開閉板及び／又は仕切板の枢着部の近傍の接続具本体部分に凹部を形成したことにより、開閉板及び／又は仕切板の枢着部近傍に付着する塵等は、上記の凹部内に溜まるため、開閉板及び／又は仕切板の開度に支障を来すといったことを防止することができる。
【０１０１】
また、接続具本体の所定の箇所に揺動可能に設けた開閉板及び／又は仕切板の開放側面、又はこの開放側面と対向する接続具本体部分に凸部を設けたことによって、開放時に開閉板及び／又は仕切板と接続具本体部分との間に隙間が生じ、開閉板及び／又は仕切板と接続具本体の所定部分とが湯水の表面張力によって固着することもなく、湯水循環動作に支障を来すことがない。
【０１０２】
また、閉鎖時に開閉板が当接する接続具本体の係止面にスリットを設けたことによって、フィルターキャップが塵等によって閉塞されてもスリットから湯水を流通させることができるため、湯水の追炊循環を継続させることができる。したがって、湯水循環用接続具による湯水循環の動作に支障を来すといったことがない。
【０１０３】
また、接続具本体に形成したネジ挿着用の挿入部に、ネジ抜け止め用の係止突起を形成したことにより、ネジのネジ山部を挿入部に挿着した場合に、ネジ山部が係止突起に当たって挿入部から抜け出すの阻止される。そのため、浴槽に湯水循環用接続具を取り付ける際に、従来のようにネジが接続具本体から落下して探さねばならないといった煩わしさを解決することができる。
【０１０４】
また、接続具本体に形成したネジ挿着用の挿入部の入口側と出口側とに、ネジ抜け止め用の係止突起を形成することにより、前記した効果を奏するとともに、出口側の係止突起によってこの出口から外にネジ山部が突出するのを阻止することができる。このことは、接続受具のネジ孔を、ネジを挿着した挿入部に合致させようとした時に挿入部からネジ山部が突出していて、接続受具のネジ孔と挿入部とを合致させるのに手間取るといったこともなくなり、接続作業を迅速に行うことができる。
【０１０５】
【図面の簡単な説明】
【図１】本発明に係る湯水循環用接続具の一例の分解斜視図である。
【図２】本発明に係る湯水循環用接続具の要部の分解斜視図である。
【図３】本発明に係る湯水循環用接続具本体の裏面を示す斜視図である。
【図４】本発明に係る湯水循環用接続具本体の正面図である。
【図５】本発明に係る湯水循環用接続具本体の裏面図である。
【図６】本発明に係る湯水循環用接続具本体のＡーＡ矢視の断面図である。
【図７】本発明に係る湯水循環用接続具本体のＢーＢ矢視の断面図である。
【図８】本発明に係る湯水循環用接続具本体の一側面図である。
【図９】本発明に係る湯水循環用接続具本体のＣーＣ矢視の断面図である。
【図１０】本発明に係る開閉板又は仕切板の正面から見た説明図である。
【図１１】本発明に係る開閉板又は仕切板の側面から見た説明図である。
【図１２】図１１に示す開閉板又は仕切板を使用した場合の説明図である。
【図１３】本発明に係る他の例の開閉板の正面から見た説明図である。
【図１４】図１３の側面図である。
【図１５】吸込口にホースを接続した状態の断面を示す説明図である。
【図１６】吸込口にシャワーホースを接続した状態の断面を示す説明図である。
【図１７】本発明に係る他の例の本体キャップ部の要部と開閉板又は仕切板との取り合い関係を示す説明図である。
【図１８】本発明に係るまた別の例の本体キャップ部の要部と開閉板又は仕切板との取り合い関係を示す説明図である。
【図１９】従来例の説明図である。
【図２０】本発明に係る他の例の本体部の正面図である。
【図２１】本発明に係る他の例の本体部の側面図である。
【図２２】本発明に係る他の例の本体部の背面図である。
【図２３】本発明に係る他の例の本体キャップ部の正面図である。
【図２４】本発明に係る他の例の本体キャップ部の側面図である。
【図２５】本体キャップ部の断面図である。
【図２６】本発明に係る湯水循環用接続具におけるネジの取付け部分の説明図である。
【図２７】本体部及び本体キャップ部と接続受具とをネジで接続した状態を示す説明図である。
【図２８】本発明に係る湯水循環用接続具における別の例のネジの取付け部分の説明図である。
【図２９】本体部及び本体キャップ部と接続受具とをネジで接続した状態を示す説明図である。
【図３０】従来の湯水循環用接続具におけるネジの取付け部分の説明図である。
【図３１】従来の湯水循環用接続具におけるネジを取り付けた状態の説明図である。
【符号の説明】
１ 湯水循環用接続具                   ２８ 復路用湯水通路
２ フィルター                         ２９ 復路用副湯水通路
３ フィルターキャップ                 ３０ 開口部
４ 接続具本体                         ３１ 開閉板
５ 接続部                             ３１ａ 係止部
６ 接続部                             ３１ｂ 上端部
７ 接続部材                           ３２ 連通部
８ 前面開口                           ３３ 仕切板
９ａ 開口部                             ３３ａ 係止部
９ｂ 開口部                             ３３ｂ 上端部
２１ 往路用湯水通路                     ４４ ネジ
２２ 往路用副湯水通路                   ４５ 挿入部
２３ 開口部                             ４７ 凸部
２４ 開閉板                             ４６ａ 係止突起
２４ａ 係止部                             ４６ｂ 係止突起
２４ｂ 上端部                             ４９ａ 穴
２５ 連通部                             ４９ｂ スリット
２６ 仕切板
２６ａ 係止部
２６ｂ 上端部
【図１】
0004308391.tif 000002
【図２】
0004308391.tif 000003
【図３】
0004308391.tif 000004
【図４】
0004308391.tif 000005
【図５】
0004308391.tif 000006
【図６】
0004308391.tif 000007
【図７】
0004308391.tif 000008
【図８】
0004308391.tif 000009
【図９】
0004308391.tif 000010
【図１０】
0004308391.tif 000011
【図１１】
0004308391.tif 000012
【図１２】
0004308391.tif 000013
【図１３】
0004308391.tif 000014
【図１４】
0004308391.tif 000015
【図１５】
0004308391.tif 000016
【図１６】
0004308391.tif 000017
【図１７】
0004308391.tif 000018
【図１８】
0004308391.tif 000019
【図１９】
0004308391.tif 000020
【図２０】
0004308391.tif 000021
【図２１】
0004308391.tif 000022
【図２２】
0004308391.tif 000023
【図２３】
0004308391.tif 000024
【図２４】
0004308391.tif 000025
【図２５】
0004308391.tif 000026
【図２６】
0004308391.tif 000027
【図２７】
0004308391.tif 000028
【図２８】
0004308391.tif 000029
【図２９】
0004308391.tif 000030
【図３０】
0004308391.tif 000031
【図３１】
0004308391.tif 000032